(57)【要約】【課題】工事用仮送電機器の運搬の際、作業者が腰を痛めず、また、容易に運べる工事用仮送電機器を提供する。【解決手段】前面に開閉操作ハンドル１２ａを有する高圧気中開閉器１の下部後部に二つのキャスター６を設け、前記高圧気中開閉器１の下部前部に支持脚５を設け、当該高圧気中開閉器１を地面に載置の際、前記キャスター６及び支持脚５のみが地面に接地し、前記高圧気中開閉器１が略水平と成るように設け、前記高圧気中開閉器１の上部前部に、先端が前方へ突出した把手１０を設け、作業者が前記把手１０の先端部１０ａを、略腰の位置まで持ち上げると、前記二つのキャスター６のみが地面に接する構成とした。【選択図】図１
0003142459.tif 000002
【実用新案登録請求の範囲】
【請求項１】
開閉操作ハンドルを有する仮送電機器の下部後部に二つのキャスターを設け、前記仮送電機器の下部前部に支持脚を設け、当該仮送電機器を地面に載置する際、前記キャスター及び支持脚のみが地面に接地するように設け、
前記仮送電機器の上部前部に、先端が前方へ突出した把手を設け、
作業者が前記把手の先端を、略腰の位置まで持ち上げると、前記二つのキャスターのみが地面に接する構成としたことを特徴とする、工事用仮送電機器。
【請求項２】
前記把手は、前記仮送電機器の上部に略水平に固定した水平パイプに、一端を摺動自在に挿入し、その他端を前記仮送電機器の前方へ伸張、固定自在としたことを特徴とする、前記請求項１に記載の工事用仮送電機器。
【請求項３】
前記把手は、平面コ字型に形成され、その両側部端部を、前記仮送電機器の上部両側に固定し、前記コ字型先端部を前記仮送電機器の前方へ突出させたことを特徴とする、前記請求項１に記載の工事用仮送電機器。
【請求項４】
前記把手は、平面コ字型に形成され、前記仮送電機器の上部両側に略水平に固定した各水平パイプに前記把手の両側部を摺動自在に挿入し、前記コ字型先端部を前記仮送電機器の前方へ伸張、固定自在としたことを特徴とする、前記請求項１に記載の工事用仮送電機器。
【請求項５】
開閉操作ハンドルを有する仮送電機器の両側に、下端が前記仮送電機器の下面側に折曲した側面枠体を夫々取り付け、これらの各側面枠体の前記折曲部の下面前部に支持脚を設け、前記折曲部の下面後部にキャスターを設け、
前記仮送電機器を地面に載置する際、前記キャスター及び支持脚のみが地面と接地するように設け、
前記両側の各側面枠体の上部に水平パイプを夫々設け、当該両側の水平パイプに、平面コ字型の把手の両側部を摺動自在に挿入し、当該コ字型の把手先端を前記仮送電機器の前方へ伸張、固定自在とし、
作業者が前記伸張、固定した把手の先端を略腰の位置まで持ち上げると、前記仮送電機器下面両側の二つのキャスターのみが地面と接する構成としたことを特徴とする工事用仮送電機器。
【考案の詳細な説明】
【技術分野】
【０００１】
この考案は、高圧配電線路における電線の張り替え工事等において使用される工事用仮送電機器に関するものである。
【背景技術】
【０００２】
高圧配電線路における電線の張り替え工事等においては、当該工事中も送電を続けるために工事用仮送電機器が使用されている。この様な工事用仮送電機器としては、開閉器や遮断器等がある。この様な工事用仮送電機器は前記工事の度に、持ち出され、工事が終わると取り外されるなど、頻繁に移動されるものとなっている。
【０００３】
前記工事用仮送電機器の中の、従来の工事用開閉器としては、当該工事用開閉器の底面の前後に２個、都合４個のキャスターを取り付けており、この様な工事用開閉器を運搬する際には、当該工事用開閉器を押して移動させていた。
【非特許文献１】従来の工事用開閉器の図面
【考案の開示】
【考案が解決しようとする課題】
【０００４】
しかしながら、この様な工事用開閉器は、機器自体の高さが低く、また重量が大きいため、運搬する際には、作業者が腰を曲げて当該工事用開閉器を押すこととなり、人体に負担がかかり、当該作業者の腰を痛める可能性があった。また、運搬途上に、段差が有る場所や砂利道などでは、キャスターが引っかかったりして、上手く運搬できず、結局、段差を有する場所等では当該工事用開閉器を持ち上げて、引っ掛かっているキャスターを浮かせて運搬するなどしており、作業者の腰を痛める可能性があった。
【０００５】
この考案は、この様な状況に鑑みてなされたもので、工事用仮送電機器の運搬の際、作業者が腰を痛めず、また、容易に運べる工事用仮送電機器を提供して前記課題を解決するものである。
【課題を解決するための手段】
【０００６】
請求項１の考案は、開閉操作ハンドルを有する仮送電機器の下部後部に二つのキャスターを設け、前記仮送電機器の下部前部に支持脚を設け、当該仮送電機器を地面に載置の際、前記キャスター及び支持脚のみが地面に接地するように設け、前記仮送電機器の上部前部に、先端が前方へ突出した把手を設け、作業者が前記把手の先端を、略腰の位置まで持ち上げると、前記二つのキャスターのみが地面に接する構成とした工事用仮送電機器とした。
【０００７】
請求項２の考案は、前記把手は、前記仮送電機器の上部に略水平に固定した水平パイプに、一端を摺動自在に挿入し、その他端を前記仮送電機器の前方へ伸張、固定自在とした前記請求項１に記載の工事用仮送電機器とした。
【０００８】
請求項３の考案は、前記把手は、平面コ字型に形成され、その両側部端部を、前記仮送電機器の上部両側に固定し、前記コ字型先端部を前記仮送電機器の前方へ突出させた前記請求項１に記載の工事用仮送電機器とした。
【０００９】
請求項４の考案は、前記把手は、平面コ字型に形成され、前記仮送電機器の上部両側に略水平に固定した各水平パイプに前記把手の両側部を摺動自在に挿入し、前記コ字型先端部を前記仮送電機器の前方へ伸張、固定自在とした前記請求項１に記載の工事用仮送電機器とした。
【００１０】
請求項５の考案は、開閉操作ハンドルを有する仮送電機器の両側に、下端が前記仮送電機器の下面側に折曲した側面枠体を夫々取り付け、これらの各側面枠体の前記折曲部の下面前部に支持脚を設け、前記折曲部の下面後部にキャスターを設け、前記仮送電機器を地面に載置する際、前記キャスター及び支持脚のみが地面と接地するように設け、前記両側の各側面枠体の上部に水平パイプを夫々設け、当該両側の水平パイプに、平面コ字型の把手の両側部を摺動自在に挿入し、当該コ字型の把手先端を前記仮送電機器の前方へ伸張、固定自在とし、作業者が前記伸張、固定した把手の先端を略腰の位置まで持ち上げると、前記仮送電機器下面両側の二つのキャスターのみが地面と接する構成である工事用仮送電機器とした。
【考案の効果】
【００１１】
請求項１、２、３、４、及び５の各考案によれば、作業者が工事用仮送電機器の前端から突出する把手を作業者の略腰の位置まで持ち上げて前側の支持脚を浮かせ、後側のキャスターのみを接地させて牽引又は押すことにより、人体に負担の少ない姿勢で容易に当該工事用仮送電機器を運搬することが可能となる。また、従来の工事用仮送電機器では、移動させることが円滑に出来なかった段差や砂利道等でも、この考案では、工事用仮送電機器の前端を常に地面から浮かせて後側のキャスターのみが接地しているため、当該工事用仮送電機器を持ち上げることなく、前記キャスターのみを転がして容易に運搬することが出来る。
【００１２】
特に、請求項２の考案によれば、運搬するときは、把手を伸ばして使用し、運搬しないときには、当該把手を仮送電機器の上部に固定した水平パイプ内に収納することが出来るので、電気工事の作業等の邪魔にならない。また、請求項３の考案によれば、把手が平面コ字型なので、作業者は両手で把手を持ち易く、より運搬が容易である。
【００１３】
また、さらに、請求項４の考案では、運搬しないときは、当該把手を仮送電機器の両側に設けた水平パイプ内に、その基部を収納することが出来るので、電気工事の作業等の邪魔にならない。また、請求項５の考案によれば、側面枠体に支持脚やキャスター、把手の基部を収納する水平パイプを設けているので、仮送電機器の両側に側面枠体を取り付け、コ字型の把手を取り付ければ、当該工事用仮送電機器が出来上がり、この考案の製造が極めて容易である。
【考案を実施するための最良の形態】
【００１４】
開閉操作ハンドルを有する仮送電機器の下部後部に二つのキャスターを設け、前記仮送電機器の下部前部に支持脚を設け、当該仮送電機器を地面に載置する際、前記キャスター及び支持脚のみが地面に接地し、前記仮送電機器が略水平と成るように設け、前記仮送電機器の上部前部に、先端が前方へ突出した把手を設け、作業者が前記把手の先端を、略腰の位置まで持ち上げると、前記二つのキャスターのみが地面に接する構成とした。
【００１５】
これにより、人体に負担の少ない姿勢で容易に当該工事用仮送電機器を運搬することが可能となる。
【実施例１】
【００１６】
以下、この考案の実施例を図に基づいて説明する。
図２は、この考案の実施例の工事用開閉器の正面図である。図３は、同背面図である。図４は、同平面図である。図５は、同底面図である。図６は、同右側面図である。図７は、同左側面図である。
【００１７】
この実施例では、工事用仮送電機器として、工事用開閉器を使用する。この工事用開閉器Ａは、開閉器の両側に側面枠体７を取り付け、これらの側面枠体７の上部に設けた水平パイプ９に、平面コ字型の把手１０の両側部を摺動自在に挿入したものである。
【００１８】
ここで使用する開閉器としては、高圧気中開閉器を使用し、この高圧気中開閉器１は、３００Ａ用で、正面に開閉操作ハンドル１２ａを設け、左右の側面に夫々３個のブッシング１２ｂが横並びに設けられており、当該高圧気中開閉器１の下面には検相表示器１ａが設けられている。
【００１９】
図８は、この考案の実施例の前記側面枠体の斜視図である。この側面枠体７は、パイプで形成した横長四角形状の小枠体を縦に設け、この小枠体の前後の各コ字型の端部を一定長内側に夫々略直角に折り曲げ、当該折り曲げた箇所の上下方向の内側に棒状の垂直パイプ２を嵌め入れて設け、この小枠体の下部の前後の折り曲げた角部に底板３、４を夫々設け、前側の底板３の底面に後述する支持脚５を設け、後側の底板４の底面にキャスター６を夫々設けて側面枠体７を形成している。
【００２０】
前記支持脚５は、開口部を上にしたコ字型の金具５ａの両側の板体に挟まれた板状の中央部を下にし、この中央部の下面に樹脂によるストッパー体５ｂをボルトで螺着して取り付けて形成している（ボルトの図示省略）。これは、工事用開閉器Ａが当該支持脚５によって支持されているとき、当該工事用開閉器Ａに無闇に力がかかっても、容易に移動しないためのストッパーの役目をしている。
【００２１】
また、前記側面枠体７の上部パイプの中央には上部パイプを上向きに湾曲させて、側面把手８を設けている。また、この上部パイプの外側面には、後端が開口し、前端が開口した水平パイプ９を固定している。
【００２２】
そして、この側面枠体７は、図８では、前記高圧気中開閉器１の左側に取り付けるものを示したが、これと対称形状の、前記高圧気中開閉器１の右側に取り付ける側面枠体７を別途用意する。
【００２３】
前記高圧気中開閉器１の両側面に前記左右の側面枠体７を取り付けるには、側面枠体７の前端の内側に折り曲げられた各縦パイプに予め取り付けられた板状金具１３（図４、６及び７参照）をボルトとナットを使用して、前記高圧気中開閉器１の左右両側面の前部に固定し、さらに、当該側面枠体７の後端の内側に折り曲げられた各縦パイプに、予め取り付けたＬ字状板体から成る金具１４（図４、５、６及び７参照）をボルトとナットを使用して、前記高圧気中開閉器１の後面の左右に固定する。
【００２４】
これにより、高圧気中開閉器１は左右両側の側面枠体７に支持され、前部は両側の支持脚５に、後部は両側のキャスター６に略水平状態に支持される。
【００２５】
そして、図９に示す平面コ字型の把手１０を別途用意し、当該把手１０の両側部を前記両側の側面枠体７の水平パイプ９の開口部から、水平パイプ９内に摺動自在に挿入し、把手１０の先端部１０ａは、前記高圧気中開閉器１の前方に伸張、固定自在となっている。そして、前記把手１０は伸張させた際、前記水平パイプ９の開口部から離脱しないようにストッパー（図示省略）が設けられている。
【００２６】
さらに、この把手１０の両折曲部を含む先端部１０ａは、上方に一定角度を持って曲げられており、また、当該箇所の中央に滑り止めとして筒状のグリップ１１を被覆している。
【００２７】
この実施例の工事用開閉器Ａを運搬する様子を説明する。
図１は、この考案の実施例の工事用開閉器Ａを牽引している状態を示す側面図である（人物の記載を省略）。この図に示すように、前記把手１０を前記各水平パイプ９から伸張させ、続いて、この把手１０の先端を作業者の略腰の位置まで持ち上げて前記支持脚５を浮かせ、牽引し、又は押し出すことによって、後側のキャスター６のみを地面に設置させて、当該把手１０で当該キャスター６を回転させて移動させる。
【００２８】
これにより、当該工事用開閉器Ａを運搬する作業者は、ほぼ通常の歩行姿勢で運搬でき、従来のような腰をかがめたままの無理な姿勢の運搬による腰の負担を軽減させることが出来る。
【００２９】
前記実施例においては、工事用開閉器として、高圧気中開閉器１を使用しているが、使用する開閉器としては、高圧に限らず、また、気中開閉器に限らず、ガス開閉器でももちろん良い。また、工事用仮送電機器として、工事用開閉器を使用しているが、工事用仮送電機器としては、開閉器に限らず、遮断器やその他の機器でももちろんよい。また、平面コ字型の把手１０を水平パイプ９内に伸張収納自在としているが、把手１０としては、平面コ字型に限らず、棒状のものを突出させたようなものでも良く、さらに、伸張収納自在なものに限らず、固定式のものでも良い。
【００３０】
また、側面枠体７として、具体的に述べているが、側面枠体７の構成としては、これらに限定するものでは無く、開閉器の両側に固定出来、把手１０を持ち上げて支持脚５を浮かせ、把手１０を引っ張るか、押し出して、キャスター６のみを転がすことによって移動出来るものであれば良く、他の構成でもよい。
【図面の簡単な説明】
【００３１】
【図１】この考案の実施例の工事用開閉器を牽引している状態を示す側面図である。
【図２】この考案の実施例の工事用開閉器の正面図である。
【図３】この考案の実施例の工事用開閉器の背面図である。
【図４】この考案の実施例の工事用開閉器の平面図である。
【図５】この考案の実施例の工事用開閉器の底面図である。
【図６】この考案の実施例の工事用開閉器の右側面図である。
【図７】この考案の実施例の工事用開閉器の左側面図である。
【図８】この考案の実施例の側面枠体の斜視図である。
【図９】この考案の実施例の側面枠体の平面コ字型の把手及び水平パイプの斜視図である。
【符号の説明】
【００３２】
Ａ    工事用開閉器                  １    高圧気中開閉器
１ａ  検相表示器                    ２    垂直パイプ
３    底板                          ４    底板
５    支持脚                        ５ａ  金具
５ｂ  ストッパー体                  ６    キャスター
７    側面枠体                      ８    側面把手
９    水平パイプ                  １０    把手
１０ａ  先端部                      １１    グリップ
１２ａ  開閉操作ハンドル            １２ｂ  ブッシング
１３    板状金具                    １４    金具
【図１】
0003142459.tif 000003
【図２】
0003142459.tif 000004
【図３】
0003142459.tif 000005
【図４】
0003142459.tif 000006
【図５】
0003142459.tif 000007
【図６】
0003142459.tif 000008
【図７】
0003142459.tif 000009
【図８】
0003142459.tif 000010
【図９】
0003142459.tif 000011